(57)【特許請求の範囲】
【請求項１】
実行順序が設定された複数の印刷ジョブを格納する格納手段と、
前記格納手段に格納されている複数の印刷ジョブを並行して実行した場合に、複数の印刷ジョブにより指定されたそれぞれの排出先に用紙を排出するのに必要な後処理装置を動作させるための消費電力を算出する算出手段と、
前記算出手段により算出された消費電力が予め設定された上限値を超えるか否かを判定し、この上限値を超えない範囲内で複数の印刷ジョブを並行して実行できるよう、前記格納手段に格納されている複数の印刷ジョブの実行順序を入れ替える入れ替え手段と、
前記入れ替え手段により実行順序が入れ替えられた複数の印刷ジョブを並行して実行する実行制御手段と、
を有する画像処理装置。
【請求項２】
前記算出手段は、現在実行中の印刷ジョブと実行順序が次の印刷ジョブを並行して実行した場合に、複数の印刷ジョブにより指定されたそれぞれの排出先に用紙を排出するのに必要な後処理装置を動作させるための消費電力を算出し、
前記実行制御手段は、前記算出手段により算出された消費電力が予め設定された消費電力の上限値を超えないと判定された場合、現在実行中の印刷ジョブと実行順序が次の印刷ジョブを並行して実行する請求項１記載の画像処理装置。
【請求項３】
実行待ちの印刷ジョブの中から現在実行中の印刷ジョブと並行して実行しようとする印刷ジョブを順次選択する選択手段をさらに有し、
前記算出手段は、現在実行中の印刷ジョブと、前記選択手段により選択された印刷ジョブを並行して実行した場合に、複数の印刷ジョブにより指定されたそれぞれの排出先に用紙を排出するのに必要な後処理装置を動作させるための消費電力を算出し、
前記実行制御手段は、前記算出手段により算出された消費電力が予め設定された消費電力の上限値を超えないと判定された場合、予め設定されていた実行順序を変更して、現在実行中の印刷ジョブと前記選択手段により選択された印刷ジョブを並行して実行する請求項１記載の画像処理装置。
【請求項４】
消費電力の上限値を設定するための設定手段を有する請求項１から３のいずれか１項記載の画像処理装置。
【請求項５】
接続されている後処理装置を検出する検出手段を有する請求項１から４のいずれか１項記載の画像処理装置。
【発明の詳細な説明】
【技術分野】
【０００１】
本発明は、画像処理装置、画像形成装置、画像形成システムおよびプログラムに関する。
【背景技術】
【０００２】
特許文献１には、後処理装置の後処理に必要な時間に応じて、次の印刷ジョブを実行するタイミングを調整して、必要のない動作を避けることにより生産性の向上を実現するようにした技術が開示されている。
【０００３】
【特許文献１】特開２００１−２１５８５８号公報
【発明の開示】
【発明が解決しようとする課題】
【０００４】
本発明の目的は、重連接続された複数の後処理装置を有し、使用可能な消費電力に制限がある場合に、画像形成処理の生産性を向上することが可能な画像処理装置、画像形成装置、画像形成システムおよびプログラムを提供することである。
【課題を解決するための手段】
【０００５】
［画像処理装置］
請求項１に係る本発明は、実行順序が設定された複数の印刷ジョブを格納する格納手段と、
前記格納手段に格納されている複数の印刷ジョブを並行して実行した場合に、複数の印刷ジョブにより指定されたそれぞれの排出先に用紙を排出するのに必要な後処理装置を動作させるための消費電力を算出する算出手段と、
前記算出手段により算出された消費電力が予め設定された上限値を超えるか否かを判定し、この上限値を超えない範囲内で複数の印刷ジョブを並行して実行できるよう、前記格納手段に格納されている複数の印刷ジョブの実行順序を入れ替える入れ替え手段と、
前記入れ替え手段により実行順序が入れ替えられた複数の印刷ジョブを並行して実行する実行制御手段とを有する画像処理装置である。
【０００６】
請求項２に係る本発明では、前記算出手段は、現在実行中の印刷ジョブと実行順序が次の印刷ジョブを並行して実行した場合に、複数の印刷ジョブにより指定されたそれぞれの排出先に用紙を排出するのに必要な後処理装置を動作させるための消費電力を算出し、
前記実行制御手段は、前記算出手段により算出された消費電力が予め設定された消費電力の上限値を超えないと判定された場合、現在実行中の印刷ジョブと実行順序が次の印刷ジョブを並行して実行する請求項１記載の画像処理装置である。
【０００７】
請求項３に係る本発明は、実行待ちの印刷ジョブの中から現在実行中の印刷ジョブと並行して実行しようとする印刷ジョブを順次選択する選択手段をさらに有し、
前記算出手段は、現在実行中の印刷ジョブと、前記選択手段により選択された印刷ジョブを並行して実行した場合に、複数の印刷ジョブにより指定されたそれぞれの排出先に用紙を排出するのに必要な後処理装置を動作させるための消費電力を算出し、
前記実行制御手段は、前記算出手段により算出された消費電力が予め設定された消費電力の上限値を超えないと判定された場合、予め設定されていた実行順序を変更して、現在実行中の印刷ジョブと前記選択手段により選択された印刷ジョブを並行して実行する請求項１記載の画像処理装置である。
【０００８】
請求項４に係る本発明は、消費電力の上限値を設定するための設定手段を有する１から３のいずれか１項記載の画像処理装置である。
【０００９】
請求項５に係る本発明は、接続されている後処理装置を検出する検出手段を有する請求項１から４のいずれか１項記載の画像処理装置である。
【発明の効果】
【００１５】
以上説明したように、本発明によれば、複数の後処理装置が重連接続され、使用可能な消費電力に制限がある場合でも、画像形成処理の生産性を向上することが可能になるという効果を得ることができる。
【発明を実施するための最良の形態】
【００１６】
次に、本発明の実施の形態について図面を参照して詳細に説明する。
【００１７】
[第１の実施形態]
図１は本発明の第１の実施形態の画像形成システム１の構成を示すブロック図である。
【００１８】
本実施形態の画像処理システムは、図１に示すように、ネットワーク５０を介して接続された画像形成装置１０および端末装置４０と、画像形成装置１０に対して用紙を給紙する給紙装置２０と、画像形成装置１０により画像が形成された用紙に対して用紙後処理を行う後処理装置３１〜３３とから構成されている。
【００１９】
端末装置４０は、印刷ジョブ等の印刷データを生成して、画像形成装置１０に対して送信する。画像形成装置１０は、端末装置４０から送信された印刷データを受け付けて、印刷データに応じた画像を用紙上に出力する。
【００２０】
後処理装置３１〜３３は、画像形成装置１０により画像が形成された用紙に対して、針留め（ステープル）、穴開け（パンチ）、裁断、折り処理、製本（ブックレット）等の各種用紙後処理を行う機能を備えている。そして、これらの後処理装置３１〜３３は、画像形成装置１０に対して重連接続されている。そのため、画像形成装置１０により排出された用紙は先ず後処理装置３１内を搬送された後に、後処理装置３２、後処理装置３３に対して順次搬送されていく。
【００２１】
後処理装置３１は、用紙の排出先としてトップトレイ３１ａとスタッカ３１ｂを有している。ここで、トップトレイ３１ａは、画像形成装置１０により画像が形成された用紙をそのまま排出するための排出先である。スタッカ３１ｂは、後処理装置３１に備えられている後処理機能による後処理が行われた後の用紙を排出するための排出先である。また、同様に後処理装置３２は、用紙の排出先としてトップトレイ３２ａとスタッカ３２ｂを有し、後処理装置３３は、用紙の排出先としてトップトレイ３３ａとスタッカ３３ｂを有している。
【００２２】
ここで、後処理装置３１のトップトレイ３１ａを排出先１、スタッカ３１ｂを排出先２として表現する。また、後処理装置３２のトップトレイ３２ａを排出先３、スタッカ３２ｂを排出先４として表現し、後処理装置３３のトップトレイ３３ａを排出先５、スタッカ３３ｂを排出先６として表現する。
【００２３】
次に、本実施形態の画像形成システム１における画像形成装置１０と後処理装置３１〜３３のハードウェア構成を図２に示す。なお、後処理装置３２、３３のハードウェア構成は後処理装置３１と同様であるため、その説明は省略する。
【００２４】
画像形成装置１０は、図２に示されるように、システム制御部１１と、タッチパネル又は液晶ディスプレイ並びにキーボード等により構成された操作部１２と、画像入力部１３と、画像処理部１４と、画像記憶部１５と、画像出力部１６と、後処理装置制御部１７と、用紙搬送部１８を備えている。
【００２５】
画像入力部１３は、ネットワーク５０を介して端末装置４０等から印刷するための画像データを入力する。画像処理部１４は、画像入力部１３により入力された画像データに対して色変換等の各種画像処理を行う。画像記憶部１５は、画像処理部１４により画像処理が行われた後の画像データを記憶する。画像出力部１６は、画像記憶部１５に記憶されている画像データをシステム制御部１１による制御に基づいて用紙上に出力する。後処理装置制御部１７は、画像形成装置１０に重連接続されている後処理装置３１〜３３の制御を行う。用紙搬送部１８は、画像出力部１６により画像データが出力される用紙を搬送する。
【００２６】
また、システム制御部１１は、ＣＰＵ２１、ＲＯＭ２２、ＲＡＭ２３、ＨＤＤ（ハードディスクドライブ）２４とから構成されている。
【００２７】
ＣＰＵ２１は、ＲＡＭ２３またはＨＤＤ２４に格納された制御プログラムに基づいて所定の処理を実行して、画像形成装置１０の動作を制御する。
【００２８】
なお、本実施形態では、ＣＰＵ２１は、ＲＡＭ２３またはＨＤＤ２４内に格納された制御プログラムを読み出して実行するものとして説明したが、当該制御プログラムをＣＤ−ＲＯＭ等の記憶媒体に格納してＣＰＵ２１に提供することも可能である。
【００２９】
また、後処理装置３１は、図２に示されるように、ＣＰＵ４１と、ＲＯＭ４２と、ＲＡＭ４３と、ＨＤＤ４４と、用紙搬送部４５と、後処理機構部４６とから構成されている。
【００３０】
後処理装置３１においても、ＣＰＵ４１は、ＲＡＭ４３またはＨＤＤ４４に格納された制御プログラムに基づいて所定の処理を実行して、後処理装置３１の動作を制御する。
【００３１】
用紙搬送部４５は、画像形成装置１０により画像が形成された後の用紙を指定された排出先まで搬送する。なお、指定された排出先が自装置内の排出先でない場合には、用紙搬送部４５は、後続の後処理装置３２、３３に用紙を搬送する。後処理機構部４６は、用紙搬送部４５により搬送されてきた用紙に対してステープル処理等の後処理を行う。
【００３２】
図３は、上記の画像処理プログラムが実行されることにより実現される画像形成装置１０のシステム制御部１１の機能構成を示すブロック図である。
【００３３】
システム制御部１１は、図３に示されるように、検出部５１と、消費電力算出部５２と、選択部５３と、印刷ジョブ格納部５４と、判定部５５と、上限値設定部５６と、印刷ジョブ実行制御部５７とから構成されている。
【００３４】
検出部５１は、接続されている後処理装置を検出して、各後処理装置から送られてきた消費電力値をＲＡＭ２３またはＨＤＤ２４内に保存する。
【００３５】
印刷ジョブ格納部５４は、端末装置４０等から印刷指示された印刷ジョブ（印刷処理要求）が実行順序に対応して格納されている。この印刷ジョブ格納部５４に印刷ジョブが格納されている一例を図４に示す。
【００３６】
図４に示した例では、ジョブ１が現在実行中の印刷ジョブであり、実行待ちの印刷ジョブがジョブ２、ジョブ３、ジョブ４という実行順序で印刷ジョブ格納部５４に格納されている。ここで、ジョブ１の排出先としては排出先６（スタッカ３３ｂ）が指定されており、ジョブ２の排出先としては排出先４（スタッカ３２ｂ）が指定されており、ジョブ３の排出先としては排出先２（スタッカ３１ｂ）が指定されており、ジョブ４の排出先としては排出先５（スタッカ３３ａ）が指定されているものとする。
【００３７】
選択部５３は、実行待ちの印刷ジョブの中から実行順序が次の印刷ジョブを選択する。
【００３８】
消費電力算出部５２は、現在実行中の印刷ジョブと選択部５３により選択された印刷ジョブを並行して実行した場合に、複数の印刷ジョブにより指定されたそれぞれの排出先に用紙を排出するのに必要な後処理装置を動作させるための消費電力を算出する。つまり、消費電力算出部５２は、現在実行中の印刷ジョブと実行順序が次の印刷ジョブを並行して実行した場合に、複数の印刷ジョブにより指定されたそれぞれの排出先に用紙を排出するのに必要な後処理装置を動作させるための消費電力を算出する。
【００３９】
ここで、現在実行中の印刷ジョブと並行して他の印刷ジョブを実行するとは、現在実行中の印刷ジョブの実行が終了する前に他の印刷ジョブの実行を開始することを意味する。
【００４０】
上限値設定部５６は、画像形成装置１０および後処理装置３１〜３３の消費電力の上限値を設定する。判定部５５は、消費電力算出部５２により算出された消費電力が、上限値設定部５６により設定された消費電力の上限値を超えるか否かを判定する。
【００４１】
印刷ジョブ実行制御部５７は、消費電力算出部５２により算出された消費電力が設定された消費電力の上限値を超えないと判定部５５により判定された場合、現在実行中の印刷ジョブと実行順序が次の印刷ジョブを並行して実行する。
【００４２】
次に、消費電力算出部５２による消費電力算出処理について説明する。
先ず、画像装置１０、処理装置３１〜３３を動作させた場合のそれぞれの装置における消費電力を図５を参照して説明する。
【００４３】
ここでは、説明を簡単にするため消費電力を直接示す値を用いた場合について説明するが、消費電力を直接示す値ではなく、消費電力の大きさを示す指標値を用いるようにしてもよい。
【００４４】
このような消費電力値は後処理装置３１〜３３の排出先毎に固有のものであり、各後処理装置３１〜３３のＲＯＭまたはＨＤＤにそれぞれ格納されている値である。この消費電力値は、初期化時に後処理装置３１〜３３に送信される。画像形成装置１０では、各後処理装置３１〜３３から送信されてきた消費電力値を、ＲＡＭ２３またはＨＤＤ２４内に保存する。
【００４５】
この図５に示す例では、画像形成装置１０の消費電力が１００Ｗであるものとしている。そして、後処理装置３２の用紙搬送部４５のみを動作させた場合の消費電力が１０Ｗ、後処理機構部４６を動作させた場合の消費電力が５０Ｗであることを示している。つまり、後処理装置３１のトップトレイ３１ａ（排出先１）に排出する場合には、用紙搬送部４５のみを動作させればよいため後処理装置３１の消費電力は１０Ｗのみとなる。また、用紙に対して後処理を行って後処理装置３１のスタッカ３１ｂ（排出先２）に排出する場合には、用紙搬送部４５と後処理機構部４６を動作させる必要があるため後処理装置３１の消費電力は６０Ｗ（１０Ｗ＋５０Ｗ）となる。
【００４６】
同様にして後処理装置３２において用紙搬送部を動作させる場合の消費電力は１０Ｗ、後処理機構部を動作させる場合の消費電力は１０Ｗであり、後処理装置３３において用紙搬送部を動作させる場合の消費電力は１０Ｗ、後処理機構部を動作させる場合の消費電力は３０Ｗである。
【００４７】
つまり、画像形成装置１０と後処理装置３１〜３３の全てを動作させた場合、消費電力の合計は２２０Ｗとなる。しかし、許容できる消費電力が例えば１７０Ｗのように上限がある場合、全ての装置を動作させたのでは消費電力が上限値を超えてしまうこととなる。そのため、消費電力が上限値を超えない範囲で必要な後処理装置のみを動作させて印刷ジョブを実行することが必要となる。
【００４８】
次に、図４に示した印刷ジョブ（ジョブ１〜ジョブ４）を実行するために必要となる消費電力を図６を参照して説明する。
先ず、図６（Ａ）に示すように、用紙を排出するための排出先として排出先６が指定されているジョブ１を実行するためには、画像形成装置１０、後処理装置３１〜３３の用紙搬送部および後処理装置３３の後処理機構部を動作させる必要がある。そのため、必要となる消費電力は、１６０Ｗとなる。
【００４９】
また、図６（Ｂ）に示すように、用紙を排出するための排出先として排出先４が指定されているジョブ２を実行するためには、画像形成装置１０、後処理装置３１、３２の用紙搬送部および後処理装置３２の後処理機構部を動作させる必要がある。そのため、必要となる消費電力は、１３０Ｗとなる。
【００５０】
また、図６（Ｃ）に示すように、用紙を排出するための排出先として排出先２が指定されているジョブ３を実行するためには、画像形成装置１０、後処理装置３１の用紙搬送部および後処理機構部を動作させる必要がある。そのため、必要となる消費電力は、１６０Ｗとなる。
【００５１】
また、図６（Ｄ）に示すように、用紙を排出するための排出先として排出先５が指定されているジョブ４を実行するためには、画像形成装置１０、後処理装置３１〜３３の用紙搬送部を動作させる必要がある。そのため、必要となる消費電力は、１３０Ｗとなる。
【００５２】
この図６（Ａ）〜図６（Ｄ）に示したように、ジョブ１〜ジョブ４をそれぞれ単独で動作させた場合には、例え消費電力の上限値が１７０Ｗだとしても、消費電力の合計値が上限値を超えることはない。しかし、排出先が異なる複数の印刷ジョブを同時に実行した場合には、消費電力の合計値が上限値を超える可能性がでてくる。
【００５３】
次に、消費電力算出部５２が、２つの印刷ジョブを並行して実行するために、２つの印刷ジョブにより指定されたそれぞれの排出先に用紙を排出するのに必要な後処理装置を動作させるための消費電力を算出する方法を図７を参照して説明する。この図７では、排出先６が指定されているジョブ１と排出先４が指定されているジョブ２を並行して実行する場合を用いて説明する。
【００５４】
図７（Ａ）に示すジョブ１と図７（Ｂ）に示すジョブ２を並行して実行するために必要となる消費電力の算出方法を図７（Ｃ）に示す。図７（Ｃ）に示されるように、ジョブ１とジョブ２を並行して実行するためには、２つの印刷ジョブにより指定されたそれぞれの排出先（排出先４、排出先６）に対して用紙を排出することができるように後処理装置３１〜３３の用紙搬送部と、後処理装置３２、３３の後処理機構部を動作させることが必要となり、合計消費電力は１７０Ｗとなる。
【００５５】
次に、本実施形態の画像形成システム１の動作を図８のフローチャートを参照して説明する。
先ず、印刷ジョブ実行制御部５７は、印刷ジョブ格納部５４に格納されている印刷ジョブのうち実行順序が先頭の印刷ジョブを実行する（ステップＳ１０１）。そして、消費電力算出部５２は、現在実行中の印刷ジョブの消費電力を算出する（ステップＳ１０２）。
【００５６】
そして、実行順序が次の印刷ジョブの印刷準備が整い印刷可能となると（ステップＳ１０３）、消費電力算出部５２は、次の印刷ジョブの消費電力を算出するとともに（ステップＳ１０４）、現在実行中の印刷ジョブと実行順序が次の印刷ジョブを並行して実行した場合の合計消費電力を算出する（ステップＳ１０５）。
【００５７】
すると、判定部５５では、ステップＳ１０５において算出された合計消費電力が、上限値設定部５６により設定された上限値以下であるか否かの判定が行われる（ステップＳ１０６）。そして、ステップＳ１０６において合計消費電力が上限値以下であると判定された場合、印刷ジョブ実行制御部５７は、現在実行中の印刷ジョブに加えて次の印刷ジョブを実行する（ステップＳ１０７）。
【００５８】
そして、全ての印刷ジョブの処理が終了するまでステップＳ１０２からＳ１０７の処理が繰り返される（ステップＳ１０８）。
【００５９】
次に、本実施形態の画像形成システム１により図４に示した印刷ジョブが実行される場合の様子を図９に示す。
この図９に示した図では、消費電力の上限値として１７０Ｗが設定されている場合の例を示したものである。また、説明を簡単にするため、ジョブ１〜ジョブ４までの各ジョブは、用紙３枚に対して画像を形成するジョブであるものとして説明する。
【００６０】
この図９に示した例では、ジョブ１とジョブ２とが並行して実行されている。ジョブ１のみを実行した場合の消費電力の合計は１６０Ｗであり、図７に示したように、ジョブ１とジョブ２を並行して実行した場合の消費電力の合計は１７０Ｗである。しかし、ジョブ２とジョブ３を並行して実行したり、ジョブ３とジョブ４を並行して実行した場合には消費電力の上限値である１７０Ｗを超えてしまうことになるため、ジョブ３、ジョブ４はそれぞれ単独で実行されている。
【００６１】
図９に示すように、本実施形態の画像形成システム１によれば、ジョブ１とジョブ２とが並行して実行されるため、ジョブ１〜ジョブ４をそれぞれ単独で実行する場合に比較して、短い時間で全ての印刷ジョブの実行を終了することができ、生産性の向上が図られている。
【００６２】
[第２の実施形態]
次に、本発明の第２の実施形態の画像形成システムについて説明する。
【００６３】
上記第１の実施形態の画像形成システムでは、予め設定された実行順序を変更しない範囲内で、消費電力が上限値を超えないようにして複数の印刷ジョブを並行して実行するようにしていた。これに対して本実施形態の画像形成システムでは、設定された実行順序を変更するようにして画像形成処理の生産性を向上するようにしている。
【００６４】
本実施形態の画像形成システムの基本的な構成は、上記で説明した第１の実施形態における構成と同様であるため、その説明は省略する。
【００６５】
ただし、本実施形態における選択部５３は、実行待ちの印刷ジョブの中から現在実行中の印刷ジョブと並行して実行しようとする印刷ジョブを順次選択する。
【００６６】
そして、本実施形態における印刷ジョブ実行制御部５７は、消費電力算出部５２により算出された消費電力が設定された消費電力の上限値を超えないと判定部５５により判定された場合、予め設定されていた実行順序を変更して、現在実行中の印刷ジョブと選択部５３により選択された印刷ジョブを並行して実行する。
【００６７】
次に、本実施形態の画像形成システム１の動作を図１０のフローチャートを参照して説明する。
先ず、印刷ジョブ実行制御部５７は、印刷ジョブ格納部５４に格納されている印刷ジョブのうち実行順序が先頭の印刷ジョブを実行する（ステップＳ２０１）。そして、選択部５３は、印刷ジョブ格納部５４に格納された印刷ジョブの中から実行順序が次の印刷ジョブを検討対象の印刷ジョブとして選択する（ステップＳ２０２）。そして、消費電力算出部５２は、現在実行中の印刷ジョブの消費電力を算出する（ステップＳ２０３）。
【００６８】
そして、検討対象の印刷ジョブの印刷準備が整い印刷可能となると（ステップＳ２０４）、消費電力算出部５２は、検討対象印刷ジョブの消費電力を算出するとともに（ステップＳ２０５）、現在実行中の印刷ジョブと検討対象の印刷ジョブを並行して実行した場合の合計消費電力を算出する（ステップＳ２０６）。
【００６９】
すると、判定部５５では、ステップＳ２０６において算出された合計消費電力が、上限値設定部５６により設定された上限値以下であるか否かの判定が行われる（ステップＳ２０７）。そして、ステップＳ２０７において合計消費電力が上限値以下であると判定された場合、印刷ジョブ実行制御部５７は、現在実行中の印刷ジョブに加えて検討対象の印刷ジョブを実行する（ステップＳ２０８）。
【００７０】
ステップＳ２０７において、合計消費電力が上限値以下であると判定された場合、選択部５３は、検討対象の印刷ジョブの次の印刷ジョブを検討対象の印刷ジョブとして選択する（ステップＳ２０９）。
【００７１】
そして、全ての印刷ジョブの処理が終了するまでステップＳ２０３からＳ２０８の処理が繰り返される（ステップＳ２１０）。
【００７２】
次に、本実施形態の画像形成システム１により図４に示した印刷ジョブが実行される場合の様子を図１１に示す。
図１１に示した例では、印刷ジョブの実行順序が、ジョブ１、ジョブ２、ジョブ４、ジョブ３という実行順序に変更されている。
そして、ジョブ１、ジョブ２、ジョブ４が並行して実行されている。
【００７３】
ジョブ１のみを実行した場合の消費電力の合計は１６０Ｗであり、図７に示したように、ジョブ１とジョブ２を並行して実行した場合の消費電力の合計は１７０Ｗである。また、図１２（Ａ）に示すように、ジョブ１、ジョブ２とジョブ４を並行して実行した場合の消費電力の合計は１７０Ｗである。また、図１２（Ｂ）に示すように、ジョブ２とジョブ４を並行して実行した場合の消費電力の合計は１４０Ｗである。しかし、ジョブ４とジョブ３を並行して実行した場合には消費電力は上限値の１７０Ｗを超えて１８０Ｗとなってしまうことになるため、ジョブ４は単独で実行されている。
【００７４】
図１１に示すように、本実施形態の画像形成システムによれば、設定された実行順序を入れ替えることによりジョブ１、ジョブ２とジョブ４が並行して実行されるため、図９に示したジョブ１、ジョブ２のみを並行して実行していた第１の実施形態の場合と比較して、短い時間で全ての印刷ジョブの実行を終了することができ、生産性の向上が図られている。
【００７５】
[変形例]
上記第１および第２の実施形態では、実行順序が先頭の印刷ジョブが既に実行中である場合を用いて説明しているが、実行順序が先頭の印刷ジョブがまだ実行されておらず、複数の印刷ジョブが存在する場合にも本発明は同様に適用することができる。このような場合には、印刷ジョブ実行制御部５７は、消費電力が予め設定された上限値を越えない範囲内で複数の印刷ジョブを並行して実行できるよう、印刷ジョブ格納部５４に格納されている複数の印刷ジョブの実行順序を入れ替える。このような構成の場合には、印刷サーバのような画像形成部を備えていない画像処理装置およびこのような画像処理装置を含む画像処理システムに対しても同様に実行することができるものである。
【図面の簡単な説明】
【００７６】
【図１】本発明の第１の実施形態の画像形成システム１の構成を示す図である。
【図２】画像形成装置１０と後処理装置３１〜３３のハードウェア構成を示す図である。
【図３】画像形成装置１０のシステム制御部１１の機能構成を示すブロック図である。
【図４】印刷ジョブ格納部５４に印刷ジョブが格納されている一例を図４に示す図である。
【図５】画像装置１０、処理装置３１〜３３を動作させた場合のそれぞれの装置における消費電力を説明するための図である。
【図６】印刷ジョブ（ジョブ１〜ジョブ４）を実行するために必要となる消費電力を説明するための図である。
【図７】２つの印刷ジョブを並行して実行するために必要となる消費電力を算出する方法を説明するための図である。
【図８】本発明の第１の実施形態の画像形成システム１の動作を示すフローチャートである。
【図９】本発明の第１の実施形態の画像形成システム１により４つの印刷ジョブ（ジョブ１〜ジョブ４）が実行される場合の様子を示す図である。
【図１０】本発明の第２の実施形態の画像形成システムの動作を示すフローチャートである。
【図１１】本発明の第２の実施形態の画像形成システムにより４つの印刷ジョブ（ジョブ１〜ジョブ４）が実行される場合の様子を示す図である。
【図１２】ジョブ１とジョブ２を並行して実行した場合（図１２（Ａ））、およびジョブ１、ジョブ２とジョブ４を並行して実行した場合（図１２（Ｂ））の消費電力を説明するための図である。
【符号の説明】
【００７７】
１    画像形成システム
１０    画像形成装置
１１    システム制御部
１２    操作部
１３    画像入力部
１４    画像処理部
１５    画像記憶部
１６    画像出力部
１７    後処理装置制御部
１８    用紙搬送部
２０    給紙装置
２１    ＣＰＵ
２２    ＲＯＭ
２３    ＲＡＭ
２４    ＨＤＤ
３１〜３３    後処理装置
３１ａ〜３３ａ    トップトレイ
３１ｂ〜３３ｂ    スタッカ
４０    端末装置
４１    ＣＰＵ
４２    ＲＯＭ
４３    ＲＡＭ
４４    ＨＤＤ
５０    ネットワーク
５１    検出部
５２    消費電力算出部
５３    選択部
５４    印刷ジョブ格納部
５５    判定部
５６    上限値設定部
５７    印刷ジョブ実行制御部
Ｓ１０１〜Ｓ１０８    ステップ
Ｓ２０１〜Ｓ２１０    ステップ
【図１】
0005013092.tif 000002
【図２】
0005013092.tif 000003
【図３】
0005013092.tif 000004
【図４】
0005013092.tif 000005
【図５】
0005013092.tif 000006
【図６】
0005013092.tif 000007
【図７】
0005013092.tif 000008
【図８】
0005013092.tif 000009
【図９】
0005013092.tif 000010
【図１０】
0005013092.tif 000011
【図１１】
0005013092.tif 000012
【図１２】
0005013092.tif 000013